(57)【特許請求の範囲】
【請求項１】
写真シール作成装置と管理サーバとから構成される情報処理システムにおいて、
前記写真シール作成装置は、
カメラによる撮影を制御することで撮影画像を取得する撮影制御手段と、
前記撮影画像の画素値に基づいて、画像情報を算出する情報算出手段と、
前記画像情報の前記管理サーバへの送信を制御する前記写真シール作成装置の通信制御手段と
を備え、
前記管理サーバは、
前記写真シール作成装置から送信されてくる前記画像情報の受信を制御する前記管理サーバの通信制御手段と、
前記画像情報の分析を行う分析処理手段と、
前記画像情報を保存し管理する情報管理手段と
を備え、
前記管理サーバにおいて、
前記管理サーバの前記通信制御手段は、クライアント端末からの前記画像情報の提示の要求の受信を制御し、
前記情報管理手段は、前記クライアント端末からの前記要求に応じて、保存している前記画像情報を抽出し、
前記管理サーバの前記通信制御手段は、抽出された前記画像情報、および、前記画像情報に対応する画像の少なくともいずれか一方の前記クライアント端末への送信を制御する
情報処理システム。
【請求項２】
写真シール作成装置と管理サーバとから構成される情報処理システムにおいて、
前記写真シール作成装置は、
カメラによる撮影を制御することで撮影画像を取得する撮影制御手段と、
前記撮影画像の前記管理サーバへの送信を制御する前記写真シール作成装置の通信制御手段と
を備え、
前記管理サーバは、
前記写真シール作成装置から送信されてくる前記撮影画像の受信を制御する前記管理サーバの通信制御手段と、
前記撮影画像の画素値に基づいて、画像情報を算出する情報算出手段と、
前記画像情報の分析を行う分析処理手段と、
前記画像情報を保存し管理する情報管理手段と
を備え、
前記管理サーバにおいて、
前記管理サーバの前記通信制御手段は、クライアント端末からの前記画像情報の提示の要求の受信を制御し、
前記情報管理手段は、前記クライアント端末からの前記要求に応じて、保存している前記画像情報を抽出し、
前記管理サーバの前記通信制御手段は、抽出された前記画像情報、および、前記画像情報に対応する画像の少なくともいずれか一方の前記クライアント端末への送信を制御する
情報処理システム。
【請求項３】
前記情報算出手段は、前記画像情報として、前記撮影画像の全画素の輝度の平均値、または、前記平均値および前記撮影画像の全画素の輝度の標準偏差の両方を算出する
請求項１または２に記載の情報処理システム。
【請求項４】
前記管理サーバにおいて、
前記管理サーバの前記通信制御手段は、前記分析処理手段により得られた前記画像情報の分析結果を前記写真シール作成装置へ送信するよう制御する
請求項１乃至３のいずれかに記載の情報処理システム。
【請求項５】
前記管理サーバにおいて、
前記分析処理手段は、前記画像情報としての輝度情報が正常であるか否かを分析し、
前記管理サーバの前記通信制御手段は、前記画像情報が正常でない場合、前記画像情報の前記分析結果として、前記画像情報が正常でないことを表す情報を、前記写真シール作成装置へ送信するよう制御する
請求項４に記載の情報処理システム。
【請求項６】
前記管理サーバにおいて、
前記分析処理手段は、前記画像情報としての輝度情報が正常であるか否かを分析し、
前記管理サーバの前記通信制御手段は、前記画像情報が正常でない場合、前記画像情報の前記分析結果として、修正された前記画像情報を前記写真シール作成装置へ送信するよう制御し、
前記写真シール作成装置において、
前記写真シール作成装置の通信制御手段は、前記管理サーバから送信されてくる修正された前記画像情報の受信を制御し、
前記写真シール作成装置は、修正された前記画像情報に基づいて、前記カメラによる撮影に関するパラメータを調整するパラメータ調整手段をさらに備える
請求項４に記載の情報処理システム。
【請求項７】
前記写真シール作成装置において、
前記写真シール作成装置は、前記カメラによる撮影時に、人が撮影されないよう注意喚起するための画面を表示部に表示させるよう制御する表示制御手段をさらに備える
請求項１乃至６のいずれかに記載の情報処理システム。
【請求項８】
写真シール作成装置と管理サーバとから構成される情報処理システムの情報処理方法において、
前記写真シール作成装置が、
カメラによる撮影を制御することで撮影画像を取得し、
前記撮影画像の画素値に基づいて、画像情報を算出し、
前記画像情報の前記管理サーバへの送信を制御し、
前記管理サーバが、
前記写真シール作成装置から送信されてくる前記画像情報の受信を制御し、
前記画像情報の分析を行い、
前記画像情報を保存する
ステップを含み、
前記管理サーバは、前記ステップにおいて、
クライアント端末からの前記画像情報の提示の要求の受信を制御し、
前記クライアント端末からの前記要求に応じて、保存している前記画像情報を抽出し、
抽出された前記画像情報、および、前記画像情報に対応する画像の少なくともいずれか一方の前記クライアント端末への送信を制御する
情報処理方法。
【請求項９】
写真シール作成装置と管理サーバとから構成される情報処理システムの情報処理方法において、
前記写真シール作成装置が、
カメラによる撮影を制御することで撮影画像を取得し、
前記撮影画像の前記管理サーバへの送信を制御し、
前記管理サーバが、
前記写真シール作成装置から送信されてくる前記撮影画像の受信を制御し、
前記撮影画像の画素値に基づいて、画像情報を算出し、
前記画像情報の分析を行い、
前記画像情報を保存する
ステップを含み、
前記管理サーバは、前記ステップにおいて、
クライアント端末からの前記画像情報の提示の要求の受信を制御し、
前記クライアント端末からの前記要求に応じて、保存している前記画像情報を抽出し、
抽出された前記画像情報、および、前記画像情報に対応する画像の少なくともいずれか一方の前記クライアント端末への送信を制御する
情報処理方法。
【発明の詳細な説明】
【技術分野】
【０００１】
本発明は、情報処理システムおよび情報処理方法に関し、特に、写真シール機において撮影される画像の状態を把握することができるようにする情報処理システムおよび情報処理方法に関する。
【背景技術】
【０００２】
利用者を撮影し、撮影画像に対して利用者に編集を行わせ、編集後の画像をシール紙に印刷して提供する写真シール機が知られている。このような写真シール機は娯楽（遊戯）施設等の店舗に設置される。
【０００３】
写真シール機によって提供される１ゲームの流れは、通常、撮影空間内にいる利用者を被写体として撮影し、利用者を編集空間に移動させ、編集空間内で行われる操作に従って画像を編集し、編集後の画像である編集済み画像をシール紙に印刷して排出するという流れになる。
【０００４】
近年は、編集作業後、編集済み画像がシール紙に印刷されるまでの待ち時間に行われる事後接客において、シール紙に印刷される撮影画像や編集済み画像をサーバに送信・保存し、利用者が所有する携帯端末からそのサーバにアクセスし、保存された画像を取得することで、利用者は、携帯端末上で、撮影画像や編集済み画像を利用することができるようになっている。
【０００５】
このような写真シール機の中には、撮影処理時にストロボの動作不良が所定回数以上発生した場合に、エラーランプを点滅させることで、エラーが発生したことをユーザに通知するようにした写真シール機がある（例えば、特許文献１参照）。
【０００６】
さらに、シール紙やインクリボンが切れた場合に、編集用モニタにエラー画面を表示させるようにした写真シール機がある（例えば、特許文献２参照）。
【０００７】
また、デジタルカメラで撮影された画像を印刷するプリントステーションと、ネットワークを介してプリントステーションと接続され、プリントステーションの管理データを把握するとともに、プリントステーションに対してデータを配信する管理装置とを含む画像データ管理システムが知られている（例えば、特許文献３参照）。
【先行技術文献】
【特許文献】
【０００８】
【特許文献１】特開２００５−１２１７２９号公報
【特許文献２】特開２００３−２４４５８０号公報
【特許文献３】特開２０００−２７０１４９号公報
【発明の概要】
【発明が解決しようとする課題】
【０００９】
上述した特許文献１，２の技術によれば、写真シール機でエラーが発生した場合、写真シール機が設置されている店舗の店員等がエラーの発生に気づき、エラー復帰の対応をとることができる。
【００１０】
一方、写真シール機を製造販売しているメーカ側では、１日毎や１週間毎などの所定期間毎に、写真シール機のログを収集することで、写真シール機の動作を把握することが行われているが、店舗に設置されている写真シール機でエラーが発生したことをタイムリーに把握することはできなかった。
【００１１】
例えば、特許文献３に開示されているシステムでは、管理装置は、管理データによって、プリントステーションの動作状態や消耗品の残量を把握することはできるものの、プリントステーションでエラーが発生したことをタイムリーに把握することはできなかった。
【００１２】
ましてや、各店舗に設置されている複数の写真シール機において共通して発生し得る不具合を一元的に把握することはもちろんできなかった。
【００１３】
本発明は、このような状況に鑑みてなされたものであり、写真シール機において撮影される画像の状態を容易に把握することができるようにするものである。
【課題を解決するための手段】
【００１４】
本発明の第１の側面の情報処理システムは、写真シール作成装置と管理サーバとから構成される情報処理システムであって、前記写真シール作成装置が、カメラによる撮影を制御することで撮影画像を取得する撮影制御手段と、前記撮影画像の画素値に基づいて、画像情報を算出する情報算出手段と、前記画像情報の前記管理サーバへの送信を制御する前記写真シール作成装置の通信制御手段とを備え、前記管理サーバが、前記写真シール作成装置から送信されてくる前記画像情報の受信を制御する前記管理サーバの通信制御手段と、前記画像情報の分析を行う分析処理手段と、前記画像情報を保存し管理する情報管理手段とを備え、前記管理サーバにおいて、前記管理サーバの前記通信制御手段は、クライアント端末からの前記画像情報の提示の要求の受信を制御し、前記情報管理手段は、前記クライアント端末からの前記要求に応じて、保存している前記画像情報を抽出し、前記管理サーバの前記通信制御手段は、抽出された前記画像情報、および、前記画像情報に対応する画像の少なくともいずれか一方の前記クライアント端末への送信を制御する。
【００１５】
本発明の第２の側面の情報処理システムは、写真シール作成装置と管理サーバとから構成される情報処理システムであって、前記写真シール作成装置が、カメラによる撮影を制御することで撮影画像を取得する撮影制御手段と、前記撮影画像の前記管理サーバへの送信を制御する前記写真シール作成装置の通信制御手段とを備え、前記管理サーバが、前記写真シール作成装置から送信されてくる前記撮影画像の受信を制御する前記管理サーバの通信制御手段と、前記撮影画像の画素値に基づいて、画像情報を算出する情報算出手段と、前記画像情報の分析を行う分析処理手段と、前記画像情報を保存し管理する情報管理手段とを備え、前記管理サーバにおいて、前記管理サーバの前記通信制御手段は、クライアント端末からの前記画像情報の提示の要求の受信を制御し、前記情報管理手段は、前記クライアント端末からの前記要求に応じて、保存している前記画像情報を抽出し、前記管理サーバの前記通信制御手段は、抽出された前記画像情報、および、前記画像情報に対応する画像の少なくともいずれか一方の前記クライアント端末への送信を制御する。
【００１６】
前記情報算出手段には、前記画像情報として、前記撮影画像の全画素の輝度の平均値、または、前記平均値および前記撮影画像の全画素の輝度の標準偏差の両方を算出させることができる。
【００１７】
前記管理サーバにおいて、前記管理サーバの前記通信制御手段には、前記分析処理手段により得られた前記画像情報の分析結果を前記写真シール作成装置へ送信するよう制御させることができる。
【００１８】
前記管理サーバにおいて、前記分析処理手段には、前記画像情報としての輝度情報が正常であるか否かを分析させ、前記管理サーバの前記通信制御手段には、前記画像情報が正常でない場合、前記画像情報の前記分析結果として、前記画像情報が正常でないことを表す情報を、前記写真シール作成装置へ送信するよう制御させることができる。
【００１９】
正常である前記輝度情報は、予め決められた値か、または、過去に正常であると分析された前記画像情報に基づいて解析された値とすることができる。
【００２０】
前記管理サーバにおいて、前記分析処理手段には、前記画像情報としての輝度情報が正常であるか否かを分析させ、前記管理サーバの前記通信制御手段には、前記画像情報が正常でない場合、前記画像情報の前記分析結果として、修正された前記画像情報を前記写真シール作成装置へ送信するよう制御させ、前記写真シール作成装置において、前記写真シール作成装置の通信制御手段には、前記管理サーバから送信されてくる修正された前記画像情報の受信を制御させ、前記写真シール作成装置には、修正された前記画像情報に基づいて、前記カメラによる撮影に関するパラメータを調整するパラメータ調整手段をさらに設けることができる。
【００２２】
前記写真シール作成装置において、前記写真シール作成装置には、前記カメラによる撮影時に、人が撮影されないよう注意喚起するための画面を表示部に表示させるよう制御する表示制御手段をさらに設けることができる。
【００２３】
本発明の第１の側面の情報処理方法は、写真シール作成装置と管理サーバとから構成される情報処理システムの情報処理方法であって、前記写真シール作成装置が、カメラによる撮影を制御することで撮影画像を取得し、前記撮影画像の画素値に基づいて、画像情報を算出し、前記画像情報の前記管理サーバへの送信を制御し、前記管理サーバが、前記写真シール作成装置から送信されてくる前記画像情報の受信を制御し、前記画像情報の分析を行い、前記画像情報を保存するステップを含み、前記管理サーバは、前記ステップにおいて、クライアント端末からの前記画像情報の提示の要求の受信を制御し、前記クライアント端末からの前記要求に応じて、保存している前記画像情報を抽出し、抽出された前記画像情報、および、前記画像情報に対応する画像の少なくともいずれか一方の前記クライアント端末への送信を制御する。
【００２４】
本発明の第２の側面の情報処理方法は、写真シール作成装置と管理サーバとから構成される情報処理システムの情報処理方法であって、前記写真シール作成装置が、カメラによる撮影を制御することで撮影画像を取得し、前記撮影画像の前記管理サーバへの送信を制御し、前記管理サーバが、前記写真シール作成装置から送信されてくる前記撮影画像の受信を制御し、前記撮影画像の画素値に基づいて、画像情報を算出し、前記画像情報の分析を行い、前記画像情報を保存するステップを含み、前記管理サーバは、前記ステップにおいて、クライアント端末からの前記画像情報の提示の要求の受信を制御し、前記クライアント端末からの前記要求に応じて、保存している前記画像情報を抽出し、抽出された前記画像情報、および、前記画像情報に対応する画像の少なくともいずれか一方の前記クライアント端末への送信を制御する。
【００２５】
本発明の第１の側面においては、カメラによる撮影を制御することで撮影画像が取得され、撮影画像の画素値に基づいて、画像情報が算出され、画像情報の管理サーバへの送信が制御され、写真シール作成装置から送信されてくる画像情報の受信が制御され、画像情報の分析が行われ、画像情報が保存される。また、クライアント端末からの画像情報の提示の要求の受信が制御され、クライアント端末からの要求に応じて、保存している画像情報が抽出され、抽出された画像情報、および、画像情報に対応する画像の少なくともいずれか一方のクライアント端末への送信が制御される。
【００２６】
本発明の第２の側面においては、カメラによる撮影を制御することで撮影画像が取得され、撮影画像の管理サーバへの送信が制御され、写真シール作成装置から送信されてくる撮影画像の受信が制御され、撮影画像の画素値に基づいて、画像情報が算出され、画像情報の分析が行われ、画像情報が保存される。また、クライアント端末からの画像情報の提示の要求の受信が制御されクライアント端末からの要求に応じて、保存している画像情報が抽出され、抽出された画像情報、および、画像情報に対応する画像の少なくともいずれか一方のクライアント端末への送信が制御される。
【発明の効果】
【００２７】
本発明によれば、写真シール機において撮影される画像の状態を容易に把握することが可能となる。
【図面の簡単な説明】
【００２８】
【図１】本発明の一実施形態に係る情報処理システムの構成例を示す図である。
【図２】写真シール作成装置の外観の構成例を示す斜視図である。
【図３】写真シール作成装置の外観を他の角度からみた斜視図である。
【図４】利用者の移動について説明する図である。
【図５】撮影部の構成例を示す図である。
【図６】背景部の構成例を示す図である。
【図７】編集部の構成例を示す図である。
【図８】事後接客部の構成例を示す図である。
【図９】写真シール作成装置の内部の構成例を示すブロック図である。
【図１０】写真シール作成装置の制御部の構成例を示すブロック図である。
【図１１】管理サーバの構成例を示すブロック図である。
【図１２】管理サーバの機能構成例を示すブロック図である。
【図１３】写真シール作成ゲーム処理について説明するフローチャートである。
【図１４】画像情報算出処理について説明するフローチャートである。
【図１５】画像情報分析処理について説明するフローチャートである。
【図１６】画像情報提示処理について説明するフローチャートである。
【図１７】クライアント端末における画像情報の表示例を示す図である。
【発明を実施するための形態】
【００２９】
以下、本発明を適用した具体的な実施の形態について、図面を参照しながら詳細に説明する。
【００３０】
［情報処理システムの構成］
図１は、本発明の一実施形態に係る情報処理システムの構成例を示す図である。
【００３１】
図１の情報処理システムは、写真シール作成装置１、管理サーバ２、およびクライアント端末３から構成される。管理サーバ２は、例えば写真シール作成装置１のメーカが所有するサーバであり、写真シール作成装置１についての情報を管理するとともに、各店舗に設置されている写真シール作成装置１の状態を監視する。クライアント端末３もまた、写真シール作成装置１のメーカが所有する端末であり、管理サーバ２により管理される写真シール作成装置１についての情報を閲覧するために利用される。
【００３２】
写真シール作成装置１と管理サーバ２との間、管理サーバ２とクライアント端末３との間の情報の送受信は、インターネット等のネットワークを介して行われる。なお、図示はしないが、管理サーバ２には、写真シール作成装置１が提供するゲームを行いシール紙を受け取る利用者が携帯している携帯電話機等の携帯端末もインターネット等のネットワークを介して接続される。
【００３３】
写真シール作成装置１は、撮影を行うことで撮影画像を取得し、その撮影画像から得られる画像情報を管理サーバ２に送信する。管理サーバ２は、写真シール作成装置１からの画像情報を分析することで、写真シール作成装置１の状態を分析する。また、管理サーバ２は、画像情報を保存、管理し、必要に応じて画像情報をクライアント端末３に提供する。図１の情報処理システムにおける一連の処理については、図１３乃至図１６のフローチャートを参照して後述する。
【００３４】
［写真シール作成装置の外観構成］
図２は、写真シール作成装置１の外観の構成例を示す斜視図である。
【００３５】
写真シール作成装置１は、撮影や編集等の作業を利用者にゲームとして行わせ、撮影画像や編集済み画像を提供する代わりに利用者より代金を受け取るゲーム機である。写真シール作成装置１はゲームセンタなどの店舗に設置される。利用者は１人であることもあるし、複数人であることもある。
【００３６】
写真シール作成装置１が提供するゲームで遊ぶ利用者は、代金を投入し、自身が被写体となって撮影を行い、撮影によって得られた撮影画像の中から選択した編集対象の画像に対して、背景や前景の画像となる合成用画像や手書きの線画やスタンプ画像を合成する編集機能を用いて編集を行うことにより、撮影画像を彩り豊かな画像にする。利用者は、編集済みの画像が印刷されたシール紙を受け取って一連のゲームを終了させることになる。
【００３７】
図２に示すように、写真シール作成装置１は、主に、撮影ユニット１１、編集部１２、および事後接客部１３から構成される。撮影ユニット１１と編集部１２が接した状態で設置され、編集部１２と事後接客部１３が接した状態で設置される。
【００３８】
撮影ユニット１１は、撮影部２１と背景部２２から構成される。撮影部２１と背景部２２は所定の距離だけ離れて設置され、撮影部２１と背景部２２の間に形成される空間である撮影空間において撮影処理が行われる。
【００３９】
撮影部２１は撮影処理を利用者に行わせる装置である。撮影部２１は、撮影空間に入り、撮影処理を行っている利用者の正面に位置する。撮影空間を正面に臨む面を構成する撮影部２１の正面パネル４１には、撮影処理時に利用者により用いられるタッチパネルモニタなどが設けられる。撮影空間にいる利用者から見て左側の面を左側面、右側の面を右側面とすると、撮影部２１の左側面が側面パネル４２Ａにより構成され、右側面が側面パネル４２Ｂにより構成される。
【００４０】
背景部２２は、正面を向いて撮影処理を行っている利用者の背面側に位置する板状の部材である背面パネル５１、背面パネル５１の左端に取り付けられ、側面パネル４２Ａより横幅の狭い板状の部材である側面パネル５２Ａ、および、背面パネル５１の右端に取り付けられ、側面パネル４２Ｂより横幅の狭い板状の部材である側面パネル５２Ｂ（図示せず）から構成される。
【００４１】
撮影部２１の左側面を構成する側面パネル４２Ａと背景部２２の側面パネル５２Ａは、ほぼ同一平面に設けられ、それぞれの上部が板状の部材である連結部２３Ａによって連結される。また、撮影部２１の右側面を構成する側面パネル４２Ｂと背景部２２の側面パネル５２Ｂは、ほぼ同一平面に設けられ、それぞれの上部が板状の部材である連結部２３Ｂによって連結される。
【００４２】
撮影部２１の側面パネル４２Ａ、連結部２３Ａ、および背景部２２の側面パネル５２Ａに囲まれることによって形成される開口が撮影空間の出入り口Ｇ１となる。図示されないが、撮影部２１の側面パネル４２Ｂ、連結部２３Ｂ、および背景部２２の側面パネル５２Ｂに囲まれることによって形成される開口も撮影空間の出入り口Ｇ２となる。
【００４３】
背景部２２の上部には、背面パネル５１、側面パネル５２Ａ、および側面パネル５２Ｂに支持される形で背景カーテンユニット２５が設けられる。背景カーテンユニット２５には、色または柄の異なる、背景に利用される巻き取り式の背景カーテンが複数収納される。背景カーテンユニット２５は、撮影部２１に設けられたカメラ等による撮影と連動して動作し、撮影の際に、例えば利用者により選択された色のカーテンを下ろし、その他のカーテンを巻き取る。
【００４４】
なお、背景カーテンユニット２５に収納される背景カーテンとしては、複数枚のカーテンを１枚の、例えば緑色のクロマキ用のカーテンとして使用する昇降式カーテンを用意してもよい。また、クロマキ用のカーテンを予め撮影空間の背面となる背面パネル５１に張り付けるとともに、合成用の背景画像を複数種類用意し、撮影処理や編集処理において、利用者が所望する背景画像をカーテンの部分に合成することができるようにしてもよい。
【００４５】
撮影空間の上方には、撮影部２１の正面パネル４１、連結部２３Ａ、連結部２３Ｂ、および背景カーテンユニット２５に囲まれる開口が形成され、その開口の一部を覆うように天井ストロボユニット２４が設けられる。天井ストロボユニット２４の一端が連結部２３Ａに固定され、他端が連結部２３Ｂに固定される。天井ストロボユニット２４は、撮影に合わせて撮影空間内に向けて発光するストロボを内蔵する。天井ストロボユニット２４を構成するストロボの内部には蛍光灯が設けられており、撮影空間の照明としても機能する。
【００４６】
編集部１２は、撮影処理によって得られた画像を編集する処理である編集処理を利用者に行わせる装置である。編集部１２は、一方の側面が撮影部２１の正面パネル４１の背面に接するように撮影ユニット１１に連結して設けられる。編集部１２には、編集処理時に利用者により用いられるタブレット内蔵モニタなどの構成が設けられる。
【００４７】
図２に示す編集部１２の構成を正面側の構成とすると、２組の利用者が同時に編集処理を行うことができるように、編集部１２の正面側と背面側には編集処理に用いられる構成がそれぞれ設けられる。
【００４８】
編集部１２の正面側は、床面に対して垂直な面であり、側面パネル４２Ａとほぼ平行な面である面７１と、面７１の上方に形成された斜面７２から構成され、編集処理に用いられる構成が斜面７２に設けられる。斜面７２の左側には、柱状の形状を有し、照明装置７４の一端を支持する支持部７３Ａが設けられる。支持部７３Ａの上面にはカーテンレール２６を支持する支持部７５が設けられる。斜面７２の右側にも、照明装置７４の他端を支持する支持部７３Ｂ（図３）が設けられる。
【００４９】
編集部１２の上方にはカーテンレール２６が取り付けられる。カーテンレール２６は、上から見たときの形状がコの字状となるように３本のレール２６Ａ乃至２６Ｃを組み合わせて構成される。平行に設けられるレール２６Ａと２６Ｂの一端は、連結部２３Ａと連結部２３Ｂにそれぞれ固定され、他端に残りの一本のレール２６Ｃの両端が接合される。
【００５０】
カーテンレール２６には、編集部１２の正面前方の空間と背面前方の空間の内部が外から見えないようにカーテンが取り付けられる。カーテンレール２６に取り付けられたカーテンにより囲まれる編集部１２の正面前方の空間と背面前方の空間が、利用者が編集処理を行う編集空間となる。
【００５１】
図３は、写真シール作成装置１を別の角度から見た斜視図である。
【００５２】
事後接客部１３は事後接客処理を利用者に行わせる装置である。事後接客処理には、撮影画像や編集済みの画像を携帯電話機などの携帯端末に送信する処理、ミニゲームを利用者に行わせる処理、アンケートに答えさせる処理などが含まれる。
【００５３】
図３に示すように、事後接客部１３は、所定の厚さを有する板状の筐体をその一部として有しており、残りの部分は編集部１２の左側面と一体に設けられる。事後接客部１３の正面には、事後接客処理時に利用者により用いられるタブレット内蔵モニタや、撮影画像や編集済みの画像が印刷されたシール紙が排出される排出口などが設けられる。事後接客部１３の正面前方の空間が、シール紙への印刷が終わるのを待っている利用者が事後接客処理を行う事後接客空間となる。
【００５４】
ここで、写真シール作成ゲームの流れと、それに伴う利用者の移動について図４を参照して説明する。図４は、写真シール作成装置１を上から見た平面図である。
【００５５】
写真シール作成装置１の利用者は、白抜き矢印＃１で示すように出入り口Ｇ１から、または白抜き矢印＃２で示すように出入り口Ｇ２から、撮影部２１と背景部２２の間に形成された撮影空間Ａ１に入り、撮影部２１に設けられたカメラやタッチパネルモニタなど利用して撮影処理を行う。
【００５６】
撮影処理を終えた利用者は、白抜き矢印＃３で示すように出入り口Ｇ１を使って撮影空間Ａ１から出て編集空間Ａ２−１に移動するか、白抜き矢印＃４で示すように出入り口Ｇ２を使って撮影空間Ａ１から出て編集空間Ａ２−２に移動する。
【００５７】
編集空間Ａ２−１は、編集部１２の正面側の編集空間であり、編集空間Ａ２−２は、編集部１２の背面側の編集空間である。編集空間Ａ２−１と編集空間Ａ２−２のいずれの空間に移動するのかが、撮影部２１のタッチパネルモニタの画面表示などによって案内される。例えば２つの編集空間のうちの空いている方の空間が移動先として案内される。編集空間Ａ２−１または編集空間Ａ２−２に移動した利用者は編集処理を開始する。編集空間Ａ２−１の利用者と、編集空間Ａ２−２の利用者は同時に編集処理を行うことができる。
【００５８】
編集処理が終了した後、撮影画像や編集済みの画像の中から選択された画像の印刷が開始される。画像の印刷中、編集処理を終えた利用者は、編集空間Ａ２−１で編集処理を行っていた場合には白抜き矢印＃５で示すように編集空間Ａ２−１から事後接客空間Ａ３に移動して事後接客処理を行う。また、編集処理を終えた利用者は、編集空間Ａ２−２で編集処理を行っていた場合には白抜き矢印＃６で示すように編集空間Ａ２−２から事後接客空間Ａ３に移動し、事後接客空間Ａ３において事後接客処理を行う。
【００５９】
画像の印刷が終了したとき、利用者は、事後接客部１３に設けられた排出口からシール紙を受け取り、一連の写真シール作成ゲームを終えることになる。
【００６０】
次に、各装置の構成について説明する。
［撮影部の構成］
【００６１】
図５は、撮影部２１の正面の構成例を示す図である。撮影部２１は、正面パネル４１、側面パネル４２Ａ、および側面パネル４２Ｂが、箱状の形状を有するベース部４３に取り付けられることによって構成される。
【００６２】
正面パネル４１は撮影空間Ａ１で撮影処理を行う利用者の正面に位置し、側面パネル４２Ａと側面パネル４２Ｂは、それぞれ、撮影空間Ａ１で撮影処理を行う利用者の左側、右側に位置する。
【００６３】
正面パネル４１のほぼ中央には撮影・表示ユニット８１が設けられる。撮影・表示ユニット８１は、カメラ９１、正面ストロボ９２、およびタッチパネルモニタ９３から構成される。
【００６４】
カメラ９１は、CCD(Charge Coupled Device)などの撮像素子により構成され、撮影空間Ａ１にいる利用者を撮影する。カメラ９１により取り込まれた動画像は、タッチパネルモニタ９３にリアルタイムで表示される。利用者により撮影が指示されたときなどの所定のタイミングでカメラ９１により取り込まれた画像は撮影画像（静止画像）として保存される。
【００６５】
カメラ９１を囲むように発光面が設けられた正面ストロボ９２は、他のストロボと同様にカメラ９１による撮影に合わせて発光し、被写体としての利用者の顔付近を正面から照射する。
【００６６】
カメラ９１の下側に設けられたタッチパネルモニタ９３は、LCD(Liquid Crystal Display)などのモニタと、それに積層されたタッチパネルにより構成される。タッチパネルモニタ９３は、カメラ９１により取り込まれた動画像を表示するライブビューモニタとしての機能と、各種のGUI(Graphical User Interface)画像を表示し、利用者の選択操作をタッチパネルにより受け付ける機能とを備えている。タッチパネルモニタ９３には、適宜、背景等の画像が合成された後の動画像が表示される。
【００６７】
正面パネル４１には、撮影・表示ユニット８１の位置を基準として、上方に上ストロボ８２が設置される。また、左方に左ストロボ８３が設置され、右方に右ストロボ８４が設置される。
【００６８】
上ストロボ８２は、利用者を上前方から照射する。左ストロボ８３は、利用者を左前方から照射し、右ストロボ８４は、利用者を右前方から照射する。
【００６９】
ベース部４３には利用者の足元を照射する足元ストロボ８６も設けられる。上ストロボ８２、左ストロボ８３、右ストロボ８４、および足元ストロボ８６の内部には蛍光灯が設けられており、天井ストロボユニット２４を構成するストロボの内部の蛍光灯と合わせて、撮影空間Ａ１内の照明として用いられる。各蛍光灯の発光量が調整されることによって、または、発光させる蛍光灯の数が調整されることによって、撮影空間Ａ１内の明るさが、利用者が行っている撮影処理の内容に応じて適宜調整される。
【００７０】
足元ストロボ８６の右側には、利用者がお金を投入する硬貨投入返却口８７が設けられる。
【００７１】
ベース部４３の上面の左右に形成されるスペース４３Ａおよび４３Ｂは、撮影処理を行う利用者が手荷物等を置くための荷物置き場として用いられる。
正面パネル４１の例えば天井付近には、撮影処理の案内音声、BGM(Back Ground Music)、効果音等の音を出力するスピーカも設けられる。
【００７２】
［背景部の構成］
図６は、背景部２２の撮影空間Ａ１側の構成例を示す図である。
【００７３】
上述したように、背面パネル５１の上方には背景カーテンユニット２５が設けられる。背景カーテンユニット２５のほぼ中央には、撮影空間Ａ１内で撮影処理を行っている利用者を後方中央から照射する背面中央ストロボ１０１が取り付けられる。
【００７４】
背面パネル５１の上方であって、出入り口Ｇ１側の位置には、撮影空間Ａ１内で撮影処理を行っている利用者を左後方から照射する背面左ストロボ１０２が取り付けられる。また、背面パネル５１の上方であって、出入り口Ｇ２側の位置には、撮影空間Ａ１内で撮影処理を行っている利用者を右後方から照射する背面右ストロボ１０３が取り付けられる。
【００７５】
［編集部の構成］
図７は、編集部１２の正面側（編集空間Ａ２−１側）の構成例を示す図である。
【００７６】
斜面７２のほぼ中央には、タブレット内蔵モニタ１３１が設けられる。タブレット内蔵モニタ１３１を挟んで左側にタッチペン１３２Ａが設けられ、右側にタッチペン１３２Ｂが設けられる。
【００７７】
タブレット内蔵モニタ１３１は、タッチペン１３２Ａまたは１３２Ｂを用いて操作入力が可能なタブレットがLCDなどのモニタに重畳して設けられることによって構成される。タブレット内蔵モニタ１３１には、例えば、編集対象画像として選択された撮影画像の編集に用いられる画面である編集画面が表示される。２人で同時に編集作業を行う場合、タッチペン１３２Ａは一方の利用者により用いられ、タッチペン１３２Ｂは他方の利用者により用いられる。
【００７８】
編集部１２の左側には事後接客部１３が設けられる。
【００７９】
［事後接客部の構成］
図８は、事後接客部１３の正面側の構成例を示す図である。
【００８０】
事後接客部１３の上方中央にはタブレット内蔵モニタ１６１が設けられる。タブレット内蔵モニタ１６１は、利用者の指などによって操作入力が可能なタブレットがLCDなどのモニタに重畳して設けられることによって構成される。タブレット内蔵モニタ１６１には、ミニゲームなどの事後接客処理に用いられる画面が表示される。
【００８１】
タブレット内蔵モニタ１６１の下にはスピーカ１６２が設けられ、スピーカ１６２の下にはシール紙排出口１６３が設けられる。
【００８２】
スピーカ１６２は、事後接客処理の案内音声、BGM、効果音等の音を出力する。
【００８３】
シール紙排出口１６３には、編集空間Ａ２−１の利用者が編集処理を行うことによって作成した画像が印刷されたシール紙、または、編集空間Ａ２−２の利用者が編集処理を行うことによって作成した画像が印刷されたシール紙が排出される。編集部１２の内部にはプリンタが設けられており、画像の印刷がそのプリンタにより行われる。
【００８４】
［写真シール作成装置の内部構成］
次に、写真シール作成装置１の内部構成について説明する。図９は、写真シール作成装置１の内部の構成例を示すブロック図である。上述した構成と同じ構成には同じ符号を付してある。重複する説明については適宜省略する。
【００８５】
制御部２０１はCPU(Central Processing Unit)などよりなり、ROM(Read Only Memory)２０６や記憶部２０２に記憶されているプログラムを実行し、写真シール作成装置１の全体の動作を制御する。制御部２０１には、記憶部２０２、通信部２０３、ドライブ２０４、ROM２０６、RAM(Random Access Memory)２０７が接続される。制御部２０１には、撮影部２０８、編集部２０９、および事後接客部２１０の各構成も接続される。
【００８６】
記憶部２０２は、ハードディスクやフラッシュメモリなどの不揮発性の記憶媒体からなり、制御部２０１から供給された各種の設定情報を記憶する。記憶部２０２に記憶されている情報は制御部２０１により適宜読み出される。
【００８７】
通信部２０３は、インターネットなどのネットワークのインタフェースであり、制御部２０１による制御に従って外部の装置と通信を行う。
【００８８】
ドライブ２０４には、光ディスクや半導体メモリなどよりなるリムーバブルメディア２０５が適宜装着される。ドライブ２０４によりリムーバブルメディア２０５から読み出されたコンピュータプログラムやデータは、制御部２０１に供給され、記憶部２０２に記憶されたり、インストールされたりする。
【００８９】
ROM２０６には、制御部２０１において実行されるプログラムやデータが記憶されている。RAM２０７は、制御部２０１が処理するデータやプログラムを一時的に記憶する。
【００９０】
撮影部２０８は、撮影空間Ａ１における撮影処理を行う構成である硬貨処理部２２１、背景制御部２２２、照明装置２２３、カメラ９１、タッチパネルモニタ９３、およびスピーカ２２４から構成される。
【００９１】
硬貨処理部２２１は、硬貨投入返却口８７に対する硬貨の投入を検出する。硬貨処理部２２１は、例えば４００円などの所定の金額分の硬貨が投入されたことを検出した場合、そのことを表す起動信号を制御部２０１に出力する。
【００９２】
背景制御部２２２は、制御部２０１より供給される背景制御信号に従って背景カーテンユニット２５に収納されている背景カーテンの上げ下ろしを行う。背景カーテンの選択が利用者により手動で行われるようにしてもよい。
【００９３】
照明装置２２３は、撮影空間Ａ１内の各ストロボの内部に設けられる蛍光灯であり、制御部２０１より供給される照明制御信号に従って発光する。上述したように、撮影空間Ａ１には、天井ストロボユニット２４のストロボの他に、撮影部２１に設けられる上ストロボ８２、左ストロボ８３、右ストロボ８４、足元ストロボ８６と、背景部２２に設けられる背面中央ストロボ１０１、背面左ストロボ１０２，背面右ストロボ１０３が設けられている。
【００９４】
また、照明装置２２３は、制御部２０１による制御に従って発光量を調整することによって、利用者が行っている撮影作業の段階に応じて撮影空間Ａ１内の明るさを調整する。
【００９５】
カメラ９１は、制御部２０１による制御に従って撮影を行い、撮影によって得られた画像を制御部２０１に出力する。
【００９６】
編集部２０９Ａは、編集空間Ａ２−１における編集処理を行う構成として編集部１２の正面側に設けられるタブレット内蔵モニタ１３１、タッチペン１３２Ａ，１３２Ｂ、およびスピーカ２３１から構成される。編集部２０９Ｂも編集部２０９Ａと同一の構成を有しており、編集空間Ａ２−２における編集処理を行う。
【００９７】
タブレット内蔵モニタ１３１は、制御部２０１による制御に従って編集画面を表示し、編集画面に対する利用者の操作を検出する。利用者の操作の内容を表す信号は制御部２０１に供給され、編集対象の撮影画像の編集が行われる。
【００９８】
事後接客部２１０は、事後接客空間Ａ３における事後接客処理を行う構成であるタブレット内蔵モニタ１６１、スピーカ１６２、印刷処理を行う構成であるプリンタ２４１、およびシール紙ユニット２４２から構成される。
【００９９】
プリンタ２４１は、撮影画像、または編集処理によって得られた編集済みの画像を、プリンタ２４１に装着されたシール紙ユニット２４２に収納されているシール紙に印刷し、シール紙排出口１６３に排出する。
【０１００】
［制御部の構成］
次に、制御部２０１について説明する。図１０は、制御部２０１がROM２０６などに格納されているプログラムを実行することにより実現される機能ブロックの構成例を示している。
【０１０１】
制御部２０１は、写真シール作成ゲームの各工程に関する処理の制御を行う他、写真シール作成装置１の状態を分析するための分析用画像を撮影する処理を行う。
【０１０２】
制御部２０１は、起動処理部３１１、表示制御部３１２、撮影制御部３１３、情報算出部３１４、通信制御部３１５、およびパラメータ調整部３１６を含むように構成される。
【０１０３】
起動処理部３１１は、写真シール作成装置１の電源投入後や再起動後に、写真シール作成装置１の各部を制御することで、各部の動作確認を行う。
【０１０４】
表示制御部３１２は、タッチパネルモニタ９３における表示の制御を行う。
【０１０５】
撮影制御部３１３は、カメラ９１による撮影を制御し、撮影画像として、上述した分析用画像を取得する。
【０１０６】
情報算出部３１４は、分析用画像に基づいて、分析用画像に関する情報である画像情報を算出する。
【０１０７】
通信制御部３１５は、写真シール作成装置１の管理サーバ２との間の通信の制御を行う。
【０１０８】
パラメータ調整部３１６は、必要に応じて、カメラ９１による撮影に関するパラメータの調整を行う。
【０１０９】
［管理サーバの構成例］
図１１は、管理サーバ２の構成例を示すブロック図である。
【０１１０】
CPU(Central Processing Unit)４１１、ROM４１２、RAM４１３は、バス４１４により相互に接続される。
【０１１１】
バス４１４には、さらに、入出力インタフェース４１５が接続される。入出力インタフェース４１５には、キーボード、マウスなどよりなる入力部４１６、ディスプレイ、スピーカなどよりなる出力部４１７が接続される。また、入出力インタフェース４１５には、ハードディスクや不揮発性のメモリなどより構成され、各種の情報を記憶する記憶部４１８、ネットワークインタフェースなどより構成され、写真シール作成装置１やクライアント端末３と通信を行う通信部４１９、リムーバブルメディア４２１を駆動するドライブ４２０が接続される。
【０１１２】
特に、記憶部４１８には、写真シール作成装置１から送信されてくる分析用画像や画像情報等が記憶される。
【０１１３】
図１２は、管理サーバ２の機能構成例を示すブロック図である。図１２に示す機能部のうちの少なくとも一部は、図１１のCPU４１１により所定のプログラムが実行されることによって実現される。管理サーバ２においては、通信制御部４３１、分析処理部４３２、および情報管理部４３３が実現される。
【０１１４】
通信処理部４３１は、管理サーバ２の写真シール作成装置１やクライアント端末３との間の通信の制御を行う。
【０１１５】
分析処理部４３２は、写真シール作成装置１から送信されてくる画像情報の分析を行う。
【０１１６】
情報管理部４３３は、写真シール作成装置１から送信されてくる分析用画像および画像情報を記憶部４１８に保存し、管理する。すなわち、情報管理部４３３は、記憶部４１８とともに、データベース管理システムを構成する。
【０１１７】
以下、情報処理システムにおいて行われる各動作について説明する。
【０１１８】
［写真シール作成ゲームの処理について］
まず、図１３のフローチャートを参照して、写真シール作成装置１によって提供される写真シール作成ゲームの処理について説明する。
【０１１９】
ステップＳ１において、写真シール作成装置１の制御部２０１は、所定の金額分の硬貨が投入されたか否かを硬貨処理部２２１から供給される信号に基づいて判定し、投入されたと判定するまで待機する。
【０１２０】
ステップＳ１において、硬貨が投入されたと判定された場合、ステップＳ２において、制御部２０１は、撮影部２０８を制御し、カメラ９１に取り込まれた被写体の動画像をタッチパネルモニタ９３にライブビュー表示させ、撮影空間Ａ１にいる利用者を被写体として撮影する撮影処理を行う。
【０１２１】
ステップＳ３において、制御部２０１は、撮影空間Ａ１にいる利用者に対して、編集空間Ａ２−１または編集空間Ａ２−２への移動を案内する。編集空間Ａ２−１または編集空間Ａ２−２への移動の案内は、撮影部２０８のタッチパネルモニタ９３に画面を表示させることによって、または音声をスピーカ２２４から出力させることによって行われる。
【０１２２】
ステップＳ４において、制御部２０１は、編集空間Ａ２−１と編集空間Ａ２−２のうち、撮影処理を終えた利用者の移動先とした方の編集空間に対応する編集部２０９を制御し、編集処理を行う。具体的には、制御部２０１は、編集対象画像として選択された撮影画像に合成する合成用画像を利用者に選択させ、選択された合成用画像を撮影画像に合成させ、得られた合成画像に対して、利用者による編集操作に従って編集を行う。
【０１２３】
ステップＳ５において、制御部２０１は、編集空間Ａ２−１または編集空間Ａ２−２で編集処理を終えた利用者に対して事後接客空間Ａ３への移動を案内する。事後接客空間Ａ３への移動の案内は、タブレット内蔵モニタ１３１に画面を表示させることによって、または音声をスピーカ２３１から出力させることによって行われる。
【０１２４】
ステップＳ６において、制御部２０１は、利用者により選択された画像をプリンタ２４１に出力してシール紙に印刷させる印刷処理を行う（開始する）。
【０１２５】
また、タブレット内蔵モニタ１６１に表示される、事後接客処理の開始ボタンが選択されると、ステップＳ７において、制御部２０１は、印刷終了待機中の利用者に対する事後接客処理を行う。具体的には、制御部２０１は、撮影画像や編集済みの画像を、管理サーバ２を介して携帯端末に送信する携帯送信ゲーム処理を事後接客処理として行い、携帯端末の電子メールアドレスを直接入力することで画像を携帯端末に送信するか、非接触型ICと通信することで画像を携帯端末に送信するかを利用者に選択させる送信方法の選択画面や、送信する画像の選択画面をタブレット内蔵モニタ１６１に表示させ、利用者による操作に応じて画像を送信する。
【０１２６】
印刷が終了すると、ステップＳ８において、制御部２０１は、印刷が終了した旨をタブレット内蔵モニタ１６１に表示させ、プリンタ２４１は、画像が印刷されたシール紙をシール紙排出口１６３に排出し、処理を終了させる。
【０１２７】
［写真シール作成装置の画像情報算出処理について］
次に、図１４のフローチャートを参照して、写真シール作成装置１によって実行される画像情報算出処理について説明する。図１４の画像情報算出処理は、写真シール作成装置１の電源投入後または再起動後に実行される。
【０１２８】
ステップＳ１１において、制御部２０１の起動処理部３１１は、撮影空間Ａ１内のカメラ９１、各ストロボ、および背景カーテンユニット２５に収納されている背景カーテンの動作確認を行い、それぞれを所定の状態に設定する。具体的には、起動処理部３１１は、カメラ９１の焦点距離（ピント）を所定の位置に固定するとともに、各ストロボの内部に設けられる蛍光灯の発光量を、ある一定の発光量に設定する。また、起動処理部３１１は、クロマキ用のカーテンを下ろした状態とする。なお、クロマキ用のカーテンが予め背面パネル５１に張り付けられている場合は、そのカーテンはそのままの状態とされる。
【０１２９】
ステップＳ１２において、表示制御部３１２は、カメラ９１による分析用画像の撮影時に、人が撮影されないよう注意喚起するための注意喚起画面をタッチパネルモニタ９３に表示させる。具体的には、例えば、タッチパネルモニタ９３には、注意喚起画面として、「性能確認のための撮影を行うので、人は写らないでください」等のメッセージを含む画像が表示される。
【０１３０】
ステップＳ１３において、撮影制御部３１３は、カメラ９１を制御することで、分析用画像の撮影を行う。分析用画像として得られる撮影画像は、撮影空間（クロマキ用のカーテン）が撮影された画像となる。分析用画像は、例えばJPEG（Joint Photographic Experts Group）形式とされ、Exif情報（撮影日時、カメラ９１の機種名、撮影パラメータ等）が含まれている。
【０１３１】
ステップＳ１４において、情報算出部３１４は、分析用画像の画素値に基づいて、画像情報を算出する。具体的には、情報算出部３１４は、画像情報として、分析用画像の輝度に関する情報、より詳細には、分析用画像の全画素の輝度の平均値（以下、輝度平均値ともいう）を、分析用画像の画素数と分析用画像の各画素の輝度値とを求めることで、算出する。
【０１３２】
この分析用画像の輝度平均値は、後述するように、管理サーバ２によって、分析用画像の画像全体の明るさが正常であるか否かが判定される際に用いられる。より具体的には、管理サーバ２においては、分析用画像の正常な明るさの範囲に対応する輝度平均値の上限値および下限値が予め決められており、情報算出部３１４によって算出された分析用画像の輝度平均値が、上限値および下限値の範囲内であるか否かによって、分析用画像の画像全体の明るさが正常であるか否かが判定される。
【０１３３】
また、情報算出部３１４は、必要に応じて、画像情報として、分析用画像の輝度平均値に加え、分析用画像の全画素の輝度の標準偏差（以下、輝度標準偏差ともいう）を算出するようにしてもよい。
【０１３４】
分析用画像の全画素の輝度値の中に異常な値が含まれている場合、分析用画像の輝度平均値が乱れ、管理サーバ２における分析用画像の明るさの判定に影響を及ぼす恐れがある。そこで、分析用画像の輝度標準偏差を、管理サーバ２によって、分析用画像の各画素の輝度値のばらつきに異常がないか否かを判定するために用いるようにする。より具体的には、管理サーバ２においては、正常とされる分析用画像の輝度値のばらつきに対応する輝度標準偏差の上限値が予め決められており、情報算出部３１４によって算出された分析用画像の輝度標準偏差が上限値より小さいか否かによって、分析用画像の輝度値の分布が平均値近傍に集まっているか否か、すなわち、分析用画像の輝度値のばらつきが正常であるか否かが判定される。
【０１３５】
この場合、管理サーバ２においては、分析用画像の輝度標準偏差が上限値より小さく、かつ、分析用画像の輝度平均値が上限値および下限値の範囲内である場合に、分析用画像の画像全体の明るさが正常であると判定され、これ以外の場合には、分析用画像の画像全体の明るさは正常でないと判定される。
【０１３６】
なお、分析用画像において、輝度の平均値、および必要に応じて求められる標準偏差の算出の対象となる画素は、全画素に限らず、上述した写真シール作成ゲームの撮影処理において撮影画像に対して行われるトリミング処理によって得られる領域の画素としてもよい。
【０１３７】
以下においては、画像情報としての、分析用画像の画素の輝度の平均値や標準偏差を、輝度情報ともいう。
【０１３８】
ステップＳ１５において、通信制御部３１５は、カメラ９１により撮影された分析用画像、および、情報算出部３１４によって算出された画像情報を管理サーバ２に送信するよう、通信部２０３を制御する。このとき、分析用画像および画像情報とともに、以下に示す、カメラ９１や写真シール作成装置１に関する関連情報が管理サーバ２に送信される。
・ホワイトバランス値
・ホワイトバランス補正値
・明暗（コントラスト）補正値
・設置店舗情報
・累積撮影回数
・送信日時
【０１３９】
上述の関連情報のうち、ホワイトバランス値、ホワイトバランス補正値、および明暗補正値は、カメラ９１に関する情報である。設置店舗情報は、写真シール作成装置１が設置されている店舗に関する情報であり、その店舗の位置情報や店舗名が含まれる。累積撮影回数は、カメラ９１による撮影が行われた回数であり、その撮影には写真シール作成ゲームにおける撮影も含まれる。また、送信日時は、分析用画像および画像情報、そしてこれら関連情報が管理サーバ２に送信された日時である。
【０１４０】
［管理サーバの画像情報分析処理について］
次に、図１５のフローチャートを参照して、管理サーバ２によって実行される画像情報分析処理について説明する。
【０１４１】
ステップＳ３１において、通信制御部４３１は、写真シール作成装置１から送信されてくる分析用画像および画像情報を受信するよう、通信部４１９を制御する。このとき、通信制御部４３１は、分析用画像および画像情報とともに、上述した関連情報も通信部４１９に受信させる。
【０１４２】
ステップＳ３２において、情報管理部４３３は、受信した分析用画像、画像情報、および関連情報を記憶部４１８に保存する。このとき、分析用画像と画像情報とは、互いに対応するファイル名（例えば、拡張子以外は同一のファイル名等）で保存される。
【０１４３】
ステップＳ３３において、分析処理部４３２は、受信した画像情報の分析を行う。例えば、分析処理部４３２は、画像情報としての輝度情報が正常であるか、具体的には、分析用画像の輝度の平均値や標準偏差が、予め決められた値の範囲内であるか否かを分析する。これにより、分析用画像の画像全体の明るさが正常であるか否かが判定される。
【０１４４】
ステップＳ３４において、通信制御部４３１は、分析処理部４３２の分析により得られた分析結果を写真シール作成装置１に送信するよう、通信部４１９を制御する。具体的には、通信制御部４３１は、分析処理部４３２により画像情報が正常でないと分析された場合、分析結果として、画像情報が正常でないことを表す情報、言い換えると、分析用画像の画像全体の明るさが正常でないことを表す情報を、写真シール作成装置１に送信するよう、通信部４１９を制御する。
【０１４５】
この場合、写真シール作成装置１においては、分析用画像の画像全体の明るさが正常でないことを表す情報が受信され、分析用画像の画像全体の明るさが正常でない旨が、例えばタッチパネルモニタ９３に表示されるようになる。
【０１４６】
なお、分析結果は、管理サーバ２の出力部４１７に含まれる表示部に表示されるようにしてもよいし、クライアント端末３に提供されるようにしてもよい。
【０１４７】
以上の処理によれば、管理サーバ２において、写真シール作成装置１から送信されてきた分析用画像の画像情報としての輝度情報が正常であるか否かが分析されるので、管理サーバ２を所有する写真シール作成装置１のメーカ側は、写真シール作成装置１において撮影される画像の状態を容易に把握することができる。これにより、写真シール作成装置１のメーカ側は、写真シール作成装置１において、何らかの原因により、画像全体が暗かったり、領域によって明るさにムラがある分析用画像が撮影された場合であっても、それらに対する対応を迅速に行うことができるようになる。
【０１４８】
また、輝度情報が正常でないと分析された場合、輝度情報が正常でないことを表す情報が、写真シール作成装置１に送信されるので、その写真シール作成装置１が設置されている店舗側でも、写真シール作成装置１で撮影される画像が暗かったり、領域によって明るさにムラがあることを把握することができ、メーカ側への対応の依頼を迅速に行うことができるようになる。
【０１４９】
なお、正常とされる輝度情報は、予め決められた値であってもよいが、写真シール作成装置１固有の特性を測るという観点では、過去に明るさが正常であると判定された、その写真シール作成装置１についての分析用画像やその輝度情報に基づいて解析された値である方がよい。
【０１５０】
また、以上においては、輝度情報が正常でない場合に、輝度情報が正常でないことを表す情報が写真シール作成装置１に送信されるようにしたが、正常な輝度情報が写真シール作成装置１に送信されるようにしてもよい。
【０１５１】
すなわち、分析処理部４３２により輝度情報が正常でないと分析された場合、分析処理部４３２は、その輝度情報を正常な値に修正し、通信制御部４３１が、分析処理部４３２の分析結果として、正常な輝度情報を写真シール作成装置１に送信するよう、通信部４１９を制御する。
【０１５２】
具体的には、輝度情報が正常でないと分析された場合、その輝度情報は、過去に正常であると判定された輝度情報の平均値や、写真シール作成装置１（カメラ９１）の工場出荷時の設定に基づいた値に修正され、写真シール作成装置１に送信される。このとき、修正された輝度情報とともに、（正常でない）修正前の輝度情報が写真シール作成装置１に送信されるようにしてもよく、管理サーバ２においては、修正前の輝度情報とともに、修正された輝度情報が保存されるようにしてもよい。
【０１５３】
この場合、写真シール作成装置１においては、（正常な値に）修正された輝度情報が受信され、パラメータ調整部３１６によって、（正常な値に）修正された輝度情報が得られるよう、カメラ９１による撮影に関するパラメータ（ストロボの発光量や画像処理におけるパラメータも含む）の調整が行われるようになる。
【０１５４】
なお、管理サーバ２から、修正された輝度情報とともに、輝度情報が正常でなかった旨の情報や、輝度情報の修正の要否を選択させるための情報が送信されるようにし、写真シール作成装置１においては、タッチパネルモニタ９３に、修正された輝度情報が得られるようパラメータの調整を行うか否かを設定（選択）させる画面が表示されるようにしてもよい。
【０１５５】
また、写真シール作成装置１において、分析用画像が撮影される際、注意喚起画面によって人が撮影されることを避けるようにしたが、もし、分析用画像に人が写り込んでしまった場合、人が写り込んでいない場合と比較して、画像の色濃度（彩度）が下がり、画像が黒っぽくなってしまう。このことが、管理サーバ２における輝度情報の分析の精度に影響を及ぼす恐れがある。
【０１５６】
そこで、分析処理部４３２が、分析用画像の色濃度に基づいて、輝度情報の分析を行うか否かを判定するようにしてもよい。すなわち、分析用画像の色濃度が、所定の値より低い場合には、分析用画像に人や物が写り込んでいるものとして、輝度情報の分析が行われないようにする。これにより、輝度情報の分析の精度を維持することが可能となる。
【０１５７】
ところで、上述した写真シール作成装置１による画像情報算出処理は、写真シール作成装置１の電源投入後に実行されるので、例えば１日に１回、分析用画像および画像情報（輝度情報）が管理サーバ２に送信される。また、管理サーバ２においては、情報管理部４３３によって、各店舗に設置されている写真シール作成装置１からの分析用画像や画像情報、関連情報が保存、管理されるが、記憶部４１８の記憶容量の観点から、その１年など保存期間を設けるものとする。すなわち、記憶部４１８に保存されている情報のうち、保存期間を経過したものは、情報管理部４３３によって、古い順に削除されるものとする。
【０１５８】
また、管理サーバ２の情報管理部４３３によって管理されている分析用画像や画像情報、関連情報は、クライアント端末３を介して提示されるようにもできる。
【０１５９】
［管理サーバの画像情報提示処理について］
ここで、図１６のフローチャートを参照して、管理サーバ２によって実行される画像情報提示処理について説明する。
【０１６０】
ステップＳ５１において、通信制御部４３１は、クライアント端末３から送信されてくる画像情報の提示の要求を受信するよう、通信部４１９を制御する。
【０１６１】
ステップＳ５２において、情報管理部４３３は、クライアント端末３からの要求に応じて、記憶部４１８に保存されている画像情報を抽出する。
【０１６２】
ステップＳ５３において、通信制御部４３１は、情報管理部４３３によって抽出された画像情報をクライアント端末３に送信するよう、通信部４１９を制御する。
【０１６３】
クライアント端末３の表示部においては、管理サーバ２から送信されてきた画像情報が表示される。
【０１６４】
図１７は、クライアント端末３の表示部に表示される画像情報の表示例である。
【０１６５】
図１７には、２０１２年３月２１から２０１２年４月２５日までの間の、店舗毎の輝度情報（分析用画像の輝度の平均値）の推移が示されている。図１７において、横軸は日付、縦軸は輝度情報の値を表しており、三角形のプロットは店舗Ａの輝度情報の値、円形のプロットは店舗Ｂの輝度情報の値を示している。
【０１６６】
図１７に示されるように、店舗Ａ，Ｂいずれの輝度情報の値も、２０１２年４月１６日までは大きな変動がないが、２０１２年４月１７日において、それぞれの値が急激に下がっている。
【０１６７】
ここで、店舗Ａ，Ｂいずれの店舗に、同一機種の写真シール作成装置１が同時期に設置されたとすると、図１７の例より、それぞれの写真シール作成装置１において共通して、カメラ９１の故障や、画像処理プログラムの不具合等が生じていることが推測される。
【０１６８】
このように、日毎の画像情報が、店舗毎に（写真シール機毎に）提示されることにより、複数の写真シール機の画像情報の時系列の変化を比較することができ、複数の写真シール機において共通して発生し得る不具合を一元的に把握することが可能となる。
【０１６９】
［その他］
なお、以上においては、分析用画像の撮影は、緑色のクロマキ用のカーテンが下りた状態で行われるものとしたが、グレーや肌色等、他の色のクロマキ用のカーテンが下りた状態で行われるようにしてもよい。さらに、分析用画像の撮影は、１回のみ行われるのではなく、それぞれの色のクロマキ用のカーテンについて、複数回行われるようにして、複数の分析用画像および画像情報が、管理サーバ２に送信されるようにしてもよい。
【０１７０】
また、管理サーバ２に送信される分析用画像は、カメラ９１による撮影で得られたままの撮影画像であるが、カメラ９１による撮影で得られた撮影画像をリサイズ加工した縮小画像が管理サーバ２に送信されるようにしてもよい。これにより、管理サーバ２の記憶部４１８の記憶容量を削減することができる。
【０１７１】
さらに、分析用画像および画像情報は、画像情報算出処理が実行される毎に管理サーバ２に送信されるようにしたが、所定回数分の画像情報算出処理によって得られた分析用画像および画像情報を写真シール作成装置１の記憶部２０２に蓄積するようにし、所定のタイミングで、蓄積された分析用画像および画像情報が管理サーバ２に送信されるようにしてもよい。
【０１７２】
また、上述した構成では、写真シール作成装置１において、情報算出部３１４が、分析用画像の画素値に基づいて、画像情報を算出するものとしたが、管理サーバ２に情報算出部３１４を設けるようにし、管理サーバ２が、写真シール作成装置１から送信されてくる分析用画像の画素値に基づいて、画像情報を算出するようにすることもできる。
【０１７３】
なお、本発明の実施の形態は、上述した実施の形態に限定されるものではなく、本発明の要旨を逸脱しない範囲において種々の変更が可能である。
【符号の説明】
【０１７４】
１  写真シール作成装置
２  管理サーバ
３  クライアント端末
１１  撮影ユニット
１２  編集部
１３  事後接客部
２０１  制御部
３１１  起動処理部
３１２  表示制御部
３１３  撮影制御部
３１４  情報算出部
３１５  通信制御部
３１６  パラメータ調整部
４３１  通信制御部
４３２  分析処理部
４３３  情報管理部
【図１】
0005472394.tif 000002
【図２】
0005472394.tif 000003
【図３】
0005472394.tif 000004
【図４】
0005472394.tif 000005
【図５】
0005472394.tif 000006
【図６】
0005472394.tif 000007
【図７】
0005472394.tif 000008
【図８】
0005472394.tif 000009
【図９】
0005472394.tif 000010
【図１０】
0005472394.tif 000011
【図１１】
0005472394.tif 000012
【図１２】
0005472394.tif 000013
【図１３】
0005472394.tif 000014
【図１４】
0005472394.tif 000015
【図１５】
0005472394.tif 000016
【図１６】
0005472394.tif 000017
【図１７】
0005472394.tif 000018